(57)【要約】      （修正有）【課題】レベルの下がったお年寄りの、入浴時の溺れ水没予防と自立化を目的とした背洗い具を提供する。【解決手段】無段階に結束し得るベルト帯にタワシ状無数針目を浮き材肌当り面側に、正反部取手状に一体成型した介助具。【選択図】図１
2006055610.tif 000002
【特許請求の範囲】
【請求項１】
帯状又は、連続輪掛け状ベルトの一部又は、全面部が一体的に浮き材化し、その一部、半面部がタワシ状、正反部取手部成す自助介助目的の入浴事故防止兼背洗い具。
【発明の詳細な説明】
【発明の詳細な説明】
【技術分野】
【０００１】  身障者、身体レベルの衰えた老人、幼児等の自己入浴時の事故防止兼介助具・背洗い具・浮輪に関する。
【背景技術】
【０００２】施設等の大浴槽内自己入浴時に於ける浴縁式手摺・浴底滑り止めテープ、マット・入浴介助用抑制帯等は有ったが、縁から離れた浴槽内（特に大浴槽）に於いて中間的支え部も無く、目が離せないのが実情、その身近に使える日常的用品（主に、事故防止介助具）は有りそうで無く皆無であった。
【発明の開示】
【発明が解決しようとする課題】
【０００３】  身障者・身体レベルの衰えた方にとって入浴は、快適な半面『フゥ』とすると足尻部を滑らせ仰向けのまま水没する危険要素を秘め又、要介護者入浴の安全確保は、介助介護保護者側も大変で重責ある作業であった。
【課題を解決するための手段】
【０００４】  肌に接して違和感無く、ソフトで確実に個人差無関係にてベルト装着化図れ、そのベルト一部（背の部分）に浮き材を一体成型且つ、その部表皮は短く細かく柔らかい細目タワシ状、正反部取手状にして解決。
【発明の効果】
【０００５】  浮き材を上方背面に当てベルトを脇下通し胸側にてセットする事で、浴槽内での水没事故等の確実な未然防止、取手部は通常の安全抑制帯的機能持ち、肌面側浮き材表皮は、一人で背肌洗いも可能とするタワシ状に成っており自立化ＡＤＬ向上図れ又、一般総ての人の安定浴（プール・海水浴）として使える物とした。
【発明を実施するための最良の形態】
【０００６】  一般各家庭にても使用可で有るが、主に施設（ディケア・通所リハ）現場の入浴浴槽内の事故防止安全介助用又、自己の背洗い用として供する。
【実施例】
【０００７】  一実施例を図１イラスト図で示し、説明する。【０００８】  この入浴事故防止兼洗い具は略、長方穴６の連続輪掛け状２（総ての角部はＲ面）のベルト１に、一体的に浮き材３（中空成型法含む）が成型され、背当り面側表皮も背肌洗い用と成るタワシ状４の短い無数の柔らかい針目状、正反部分は抑制帯的役目兼ねた介助用取手５部で図形体とした物で、本実施例では、肌に優しく丈夫でソフトな半柔軟性樹脂材で一体成型化図ったが、浮き材３の分離形や浮き材部材質（中空製法・他の洗い具面材張合わせ等）・形状等何ら問わない。【０００９】  使用法は、浮き材３を体の上方背部に当て、両方の連続輪掛け状２ベルト１を両脇下介し、何れかのベルト１端を相反側ベルト１の長方穴６に通し、胸側にて圧迫の無い適宜力で結束、その状態にて浴槽内へ入って頂く入浴事故防止具で、洗い場では自己の背中洗い用として用い又、取手５は介助緊急時に使用する握り部である。
【産業上の利用可能性】
【００１０】  医療医学の発達・食生活改善等にて長寿命化が進み医療介護介助及び、安全対策等はサービス産業の重要なテーマあり、安全確実安価な介助具、事故防止具ＡＤＬ向上化等は社会的責務で有り又、一般家庭浴槽でも使用できるが、主に施設の大浴槽等での確実な事故防止用と自立化図る為の背洗い具兼安全補助具とした物である。
【図面の簡単な説明】
【００１１】
【図１】本発明を示すイラスト図である。
【符号の説明】
【００１２】１      ベルト                      ４      タワシ状
２      連続輪掛け状                ５      取手
３      浮き材                      ６      長方穴
【図１】
2006055610.tif 000003
【手続補正書】
【提出日】平成17年3月22日(2005.3.22)
【手続補正２】
【補正対象書類名】特許請求の範囲
【補正対象項目名】全文
【補正方法】変更
【補正の内容】
【特許請求の範囲】
【請求項１】
着脱自在テープ状締結体又は、連続輪通し掛け式ベルトの一部又は、全面部が一体的な浮き素材製でその一半面部ブラシ状たわし若しくは、スポンジたわし部有し且つ、介助用取手部形成した抑制帯式、入浴事故防止兼背洗い具。
【手続補正３】
【補正対象書類名】明細書
【補正対象項目名】全文
【補正方法】変更
【補正の内容】
【発明の詳細な説明】
【技術分野】
【０００１】
身障者・身体レベルの衰えた老人、幼児等の入浴時の事故防止兼介助具・背洗い具・浮輪に関する。
【背景技術】
【０００２】
施設等の大浴槽内自己入浴時に於ける浴縁式手摺・浴底滑り止めテープ・マット・入浴介助用抑制帯等は有ったが縁から離れた浴槽内（特に大浴槽）に於いて、中間的支え部も無く目が離せないのが実情、その身近に日常的に使える用品（主に、事故防止介助具）は少なかった。
【発明の開示】
【発明が解決しようとする課題】
【０００３】
身障者・身体レベルの衰えた方にとって入浴は、快適な半面『フゥ』とすると足尻部を滑らせ仰向けのまま水没する危険要素を秘め又、要介護者入浴の安全確保は介助介護保護者側も大変で重責ある作業であった。
【課題を解決するための手段】
【０００４】
肌に接して違和感無くソフトで確実に個人差無関係にてベルト装着化図れ、そのベルト一部（背の部分）も浮き素材製で、その部表皮はブラシ形たわし又は、スポンジたわし状で、介助用の取手を一体成型化して解決。
【発明の効果】
【０００５】
本品（取手部・たわし部）を、上方背面に当てベルトを脇下通し胸側にてセットする事で、浴槽内での水没事故等の確実な未然防止、取手部は通常の安全抑制帯的機能持ち肌面側浮き材表皮は、一人で背肌洗いも可能とするたわし状に成っており自立化・ADL向上又、一般総ての安定浴（プール・海水浴）として使え事故防止が図れる。
【発明を実施するための最良の形態】
【０００６】
一般各家庭にても使用可で有るが、主に介護施設現場の浴槽内の事故防止介助用で又、自己の背洗い用として使用する。
【実施例】
【０００７】
一実施例をイラスト図で示し説明する。
【０００８】
この入浴事故防止兼洗い具は、ベルト締結式で長方穴６の連続輪通し掛け状２のベルト１型で一体的に浮き材３（中空成型法含む）が成型され、背当り面側表皮も背肌洗い用と成るたわし４の短い無数の柔らかい針目状、正反部分は抑制帯的役目兼ねた介助用取手５部で図形体とした物で、本実施例では、肌に優しく丈夫でソフトな半柔軟性樹脂材で一体成型化図ったもの又、ベルト締結に着脱自在テープ法・浮き材３の分離形や素材・製法（他の洗い具面材張合わせ・中空ブロー製法等）・形状及び、長方穴６内形状等何ら問わない。
【０００９】
使用法は、浮き材３を体の上方背部に当て両方の連続輪通し掛け状２ベルト１を両脇下介し、何れかのベルト１端を相反側ベルト１の長方穴６に通し胸側にて圧迫の無い適宜力で結束、その状態にて浴槽内へ入って頂く入浴事故防止兼背洗い具で、洗い場では自己の背中洗い用として用い又、取手５は緊急介助時に使用する握り部で有る。
【産業上の利用可能性】
【００１０】
医療医学の発達・食生活改善等にて長寿命化が進み医療介護介助及び、安全対策等はサ―ビス産業の重要なテーマあり安全確実安価な介助具・事故防止具・ADL向上化等は社会的責務で有り又、一般家庭浴槽でも使用できるが主に施設の大浴槽等での確実な事故防止用として使える。
【図面の簡単な説明】
【００１１】
【図１】本発明を示すイラスト図である。
【符号の説明】
【００１２】
１      ベルト
２      連続輪通し掛け状
３      浮き材
４      たわし
５      取手
６      長方穴
【手続補正４】
【補正対象書類名】図面
【補正対象項目名】全図
【補正方法】変更
【補正の内容】
【図１】
2006055610.tif 000004